(57)【要約】【課題】  使用感を向上するとともに、機能成分液の無駄を排除することができる新規なミトン型クリーナの開発を技術課題とした。【解決手段】  吸水性素材を適用して成る吸水性シート２Ａの片面に非透気性フィルム２Ｂを貼付してシート体２を構成するとともに、シート体２を非透気性フィルム２Ｂが内側になるように袋状に形成し、開口部３から挿手部５に使用者の手Ｈを受入れた状態で拭取面６を対象物に作用させるように構成されたミトン型クリーナ１において、このミトン型クリーナ１は、開口部３が弱化状態で封止されるものであり、且つ機能成分液Ｌを拭取面６に含浸させた状態で、機密性のパッケージＰに封入されたことを特徴として成るものであり、開口部３から挿手部５に機能成分液Ｌが入り込んでしまうことがなく、このため挿手部５に使用者の手Ｈを受入れた際の使用感を向上することができる。【選択図】図１
2005028015.tif 000002
【特許請求の範囲】
【請求項１】
吸水性素材を適用して成る吸水性シートの片面に非透気性フィルムを貼付してシート体を構成するとともに、前記シート体を非透気性フィルムが内側になるように袋状に形成し、その開口部から挿手部に使用者の手を受入れた状態で拭取面を対象物に作用させるように構成されたミトン型のクリーナにおいて、このクリーナは、前記開口部が弱化状態で封止されるものであり、且つ機能成分液を拭取面に含浸させた状態で、機密性のパッケージに封入されたことを特徴とするミトン型クリーナ。
【請求項２】
前記開口部は、熱溶融性接着剤によって弱化状態で封止されたものであることを特徴とする請求項１記載のミトン型クリーナ。
【請求項３】
前記挿手部は、非透気性フィルムを熱可塑性樹脂で構成し、シート体を折り畳むことにより相対する非透気性フィルムを相互に熱溶着することにより、区画されたものであることを特徴とする請求項１または２記載のミトン型クリーナ。
【発明の詳細な説明】
【技術分野】
【０００１】
本発明はミトン型の拭取タイプのクリーナに関するものであって、特に機能成分液を拭取面に含浸させた状態で機密性のパッケージに封入されたものにおいて、使用感を向上させる構造に係るものである。
【背景技術】
【０００２】
近時、日常生活の中での清潔志向が高まるとともに、新たな感染症の流行を背景に、除菌・消臭用品等、様々な種類の衛生用品が広く流通している。
このような衛生用品の一つに、ミトン型クリーナ１′がある。このものは図９に示すように、不織布等を素材として成るシート体２′を袋状に形成し、その開口部３′から挿手部５′に手Ｈを入れた状態で拭取面６′を対象物に作用させ、汚れの除去等を行うものである。
更に前記ミトン型クリーナ１′としては、拭取面６′にアルコール等の殺菌剤や消臭剤等の機能成分液Ｌ′を含浸させた状態で機密性のパッケージＰ′に封入したものが提供されている。そして使用者はパッケージＰ′を開封してミトン型クリーナ１′を取り出し、開口部３′から挿手部５′に手Ｈを装入して使用するものであるが、挿手部５′内は機能成分液Ｌ′によって湿潤状態となっているため、その使用感は必ずしも心地良いものとは言えなかった。
また前記シート体２′として、吸水性シート２Ａ′の片面に非透気性フィルム２Ｂ′を貼付して形成したものを用いた場合には、挿手部５′内に入り込んだ機能成分液Ｌ′は対象物に作用することがないため無駄になってしまう上、上記のような使用の際の不快感も解消しきれていない。
【特許文献１】特開平５−１３９５０２号（図１）
【特許文献２】特開２０００−３３６５０９（図１）
【発明の開示】
【発明が解決しようとする課題】
【０００３】
本発明はこのような現状を考慮してなされたものであって、使用感を向上するとともに、機能成分液の無駄を排除することができる新規なミトン型クリーナの開発を技術課題としたものである。
【課題を解決するための手段】
【０００４】
すなわち請求項１記載のミトン型クリーナは、吸水性素材を適用して成る吸水性シートの片面に非透気性フィルムを貼付してシート体を構成するとともに、前記シート体を非透気性フィルムが内側になるように袋状に形成し、その開口部から挿手部に使用者の手を受入れた状態で拭取面を対象物に作用させるように構成されたミトン型のクリーナにおいて、このクリーナは、前記開口部が弱化状態で封止されるものであり、且つ機能成分液を拭取面に含浸させた状態で、機密性のパッケージに封入されたことを特徴として成るものである。
この発明によれば、開口部から挿手部に機能成分液が入り込んでしまうことがなく、このため挿手部に使用者の手を受入れた際の使用感を向上することができる。
【０００５】
また請求項２記載のミトン型クリーナは、前記要件に加え、前記開口部は、熱溶融性接着剤によって弱化状態で封止されたものであることを特徴として成るものである。
この発明によれば、開口部の封止を容易に且つ確実に行うことができる。更に容易に封止を解いて開口部を開放することができる。
【０００６】
更にまた請求項３記載のミトン型クリーナは、前記要件に加え、前記挿手部は、シート体を折り畳むことにより相対した非透気性フィルムを相互に熱溶着することにより、区画されたものであることを特徴として成るものである。
この発明によれば、挿手部を容易に且つ強固なものとして形成することができる。
そしてこれら各請求項記載の発明の構成を手段として前記課題の解決が図られる。
【発明の効果】
【０００７】
本発明によれば、開口部から挿手部に機能成分液が入り込んでしまうことがなく、このため挿手部に使用者の手を受入れた際の使用感を向上することができる。また開口部の封止を容易に且つ確実に行うことができる。更に容易に封止を解いて開口部を開放することができる。更にまた挿手部を容易に且つ強固なものとして形成することができる。そしてこれらの作用によって上記課題が解決されるものである。
【発明を実施するための最良の形態】
【０００８】
以下本発明のミトン型クリーナについて図示の実施例に基づいて具体的に説明する。なおこの実施例に対し本発明の技術的範囲内における技術的改変を加えることも可能である。
【実施例】
【０００９】
図中、符号１で示すものが本発明のミトン型クリーナであって、このものはシート体２を袋状に形成して成るものであり、使用者が開口部３から挿手部５に手を入れた状態で拭取面６を対象物に作用させて汚れの除去等を行うものである。なおここで特許請求の範囲に記載された手とは、手全体はもちろんのこと、手の一部、指、更には手によって把持された器具類まで含むものとする。
更に本発明のミトン型クリーナ１は、拭取面６にアルコール等の殺菌剤や消臭剤等の機能成分液Ｌを含浸させることにより、対象物に対して単なる汚れの除去に止まらず、殺菌、消臭等の効果を奏するようにしたものである。
【００１０】
以下ミトン型クリーナ１の構成について更に詳しく説明する。なおここではミトン型クリーナ１の構成を説明するため、このものを単品として製作する方法に基づいて説明を行うが、実際に量産するにあたっては他の製造方法が採られるものであり、これについては後ほど説明を行うものとする。
【００１１】
まず前記シート体２は、天然繊維あるいは合成繊維を素材として成る不織布、織布、紙、スポンジ等を適用した吸水性シート２Ａの片面に、ポリエステル、ポリエチレン等を適用した非透気性フィルム２Ｂを貼付して成り、吸水性及び非透気性の双方を兼ね具えたものである。
【００１２】
そして前記シート体２を一例として１３５ｍｍ×３８０ｍｍの矩形状に裁断し、長手方向中心より１０ｍｍ程ずれた個所で非透気性フィルム２Ｂが内側にくるように二つ折りにするとともに、長手方向の側縁部４全域を貼り合わせる。なおこの実施例では、シート体２を二つ折りにしたため非透気性フィルム２Ｂの面が接した状態にあることから、このものを熱可塑性樹脂で構成した場合、側縁部４を加熱・加圧して非透気性フィルム２Ｂ同士を溶着するいわゆるヒートシール方式で長手方向の側縁部全域を貼り合わせることができるが、もちろん熱溶融性接着剤を用いて貼り合わせを行うこともできる。
ここまでの加工によって、前記シート体２は一辺のみに開口部３が形成された袋状となるものであり、この形態がミトン型クリーナ１の使用時の形態となる。なおシート体２は長手方向中心よりずれた個所で二つ折りされているため、開口部３の端部３ａ、３ｂは不揃いとなるものであり、張り出した側の吸水性シート２Ａ面をおもて面６Ａとし、短寸側の吸水性シート２Ａ面をうら面６Ｂとする。
【００１３】
そして本発明のミトン型クリーナ１は、対象物に対して単なる汚れの除去に止まらず、殺菌、消臭等の効果を奏するようにしたものであるため、アルコール等の殺菌剤や消臭剤等の機能成分液Ｌを吸水性シート２Ａに含浸させるとともに、非透気性の素材から成るパッケージＰに封入された状態で流通されるものである。
このため使用前の状態において前記開口部３から挿手部５内に機能成分液Ｌが侵入しないような構成を採るものであり、開口部３を弱化状態で封止するようにした。この実施例では一例として、開口部３の端部３ｂから幾分か余白を残した個所に封止剤７の一例である熱溶融性接着剤を筋状に塗布し、その後開口端３ａ周辺を加圧して開口部３を封止するようにした。もちろん封止剤７の塗布は、シート体２を二つ折りする前に行っておくことが好ましい。
ここで前記弱化状態とは、開口部３の封止状態を完全に維持する程の強度を有するものではない状態を意味するものであり、使用時には封止剤７による封止状態を解除して開口部３を再形成することを可能とするものである。
【００１４】
そして上述のように開口部３が封止されたミトン型クリーナ１に対して機能成分液Ｌを吹き付けたり、あるいは機能成分液Ｌが入ったタンクにミトン型クリーナ１を浸漬する等して機能成分液Ｌを含浸させるものであり、その後、ミトン型クリーナ１をポリエチレン等を素材として成るパッーケージＰに封入する。なおこの実施例では、一例として出し入れ部をライン状のファスナＦによって封止することができるようにしたパッーケージＰに、五枚のミトン型クリーナ１を封入するようにしたが、一枚ずつ個装するようにしてもよい。
【００１５】
またこの実施例では、前記機能成分液Ｌは、殺菌成分としてエタノールを含み、更に消臭成分としてリンゴ抽出物等を含み、更に香料を含んだ液体であり約５１３ｃｍ2 の拭取面６を有するミトン型クリーナ１ひとつに対して７〜８ｍｌ程が使用される。
更にまた前記パッケージＰにあらかじめ機能成分液Ｌを注入しておき、その後パッケージＰ内にミトン型クリーナ１を入れたり、あるいはパッケージＰにあらかじめミトン型クリーナ１を入れておき、その後パッケージＰ内に機能成分液Ｌを注入するような形態をとることもできる。この場合には、パッケージＰを封止したのち、機能成分液Ｌは拡散して拭取面６全体に行き渡るようになる。
【００１６】
本発明のミトン型クリーナ１は一例として上述したような基本的構成を有するものであり、以下このミトン型クリーナ１を量産する場合の製造方法の一例について説明する。
【００１７】
〔シート体製造工程〕
まずシート体製造工程Ｐ１について説明すると、この工程は図４に示すように、吸水性シート２Ａ及び非透気性シート２Ｂの原反ロールＲから引き出されたそれぞれのシートをピンチローラ１０によって密着させ、続いてヒートローラ１１によって加熱・加圧を行うことにより、非透気性シート２Ｂにおける吸水性シート２Ａとの接触面を溶融させ、吸水性シート２Ａに対して固着させる工程である。もちろん前記吸水性シート２Ａ及び非透気性シート２Ｂを接着剤を用いて接着するようにしてもよい。
【００１８】
〔封止剤塗布工程及び折り工程〕
続いて封止剤塗布工程Ｐ２及び折り工程Ｐ３について同時に説明すると、図５に示すように、封止剤塗布工程Ｐ２にはノズル１２が具えられるものであり、シート体２における非透気性フィルム２Ｂの面には、端部から１５ｍｍ程度の位置に約１ｍｍの筋状に封止剤７が塗布される。
また折り工程Ｐ３には折込体１３が具えられるものであり、この折込体１３によってシート体２に折り目が付けられ、続いてプレスローラ１４によって二つ折り状態にされる。このとき、封止剤７は未硬化の状態でプレスされるため、シート体２を二つ折りにすることにより対向した状態にある非透気性フィルム２Ｂの一部は、筋状に弱化状態で接合されることとなる。
なおこの実施例では、前記ノズル１２の設置個所を折込体１３よりも前の位置としたが、シート体２が二つ折り状態になる前の個所にスペースがあれば、そこにノズル１２を設置するようにしてもよい。
【００１９】
〔ヒートシール工程〕
続いてヒートシール工程Ｐ４について説明すると、この工程はシート体２を二つ折りにすることにより対向した状態にある非透気性フィルム２Ｂの面相互を側縁部４において熱溶着（ヒートシール）し、実質的に挿手部５を形成するための工程である。具体的には図６に示すように、ミトン型クリーナ１の幅寸法と等間隔でシート体２に作用するような複数の加熱ヘッド１５が具えられるものであり、この実施例では、加熱ヘッド１５がシート体２とともに進行し、シート体２に作用した状態を一定時間維持することができるように構成した。
【００２０】
〔機能成分液含浸工程〕
続いてシート体２は機能成分液含浸工程Ｐ５に移行するとともに、おもて面６Ａ及びうら面６Ｂの双方に対して、ノズル１６から機能成分液Ｌが吹き付けられる（図６（ａ）参照）。
【００２１】
〔切断工程〕
更に続いてシート体２は切断工程Ｐ６に移行するとともに、ヒートシールされた個所をカッター１７によって分断されて個別のミトン型クリーナ１となる。なおこの実施例では図６（ｂ）に示すように、ローラ体の側周に対して、ミトン型クリーナ１の幅寸法と等間隔でシート体２に作用するような複数のカッター１７を具えるようにした。
【００２２】
〔包装工程〕
そして上述のようにして得られたミトン型クリーナ１を図６（ｂ）に示すように包装工程Ｐ７において包装するものである。このようにして得られたミトン型クリーナ１は図１に示すように、開口部３が弱化状態で封止され、且つ機能成分液Ｌを拭取面６に含浸させた状態で、機密性のパッケージＰに封入されることとなる。
【００２３】
本発明のミトン型クリーナ１は上述した実施例を基本となる実施例とするものであるが、本発明の技術的思想に基づいて以下に示すような実施例を採ることも可能である。
まず上述した基本となる実施例では、開口部３を弱化状態で封止する手段として封止剤７を用いたが、ヒートシールによって行うこともできる。この場合、弱化状態とするためにはヒートシールの幅を細くしたり、溶着時間を短くするようにすればよい。
また同様に上述した基本となる実施例では、側縁部４をヒートシールによって接合したが、封止剤７を用いて行うこともできる。この場合、接合を強固なものとするためには、封止剤７の塗布幅を太くすればよい。
【００２４】
更に図７に示すような開封手段８を設けることにより、開口部３を開封する際に使用者の手に機能成分液Ｌが直接触れてしまうのを最小限に抑えることができる。まず図７（ａ）に示す開封手段８は、おもて面６Ａ及びうら面６Ｂにおける開口部３付近に対して帯状片を具え、使用者が双方の帯状片を摘んで封止剤７を引き裂くようにしたものである。また図７（ｂ）に示す開封手段８は、封止剤７の内側に紐体を位置させておき、使用者がこの紐体を引くことにより封止剤７を引き裂くようにしたものである。
【００２５】
更にまた本発明のミトン型クリーナ１は、図８（ａ）に示すように小型に形成することができるものであり、この実施例では一例として使用者が開口部３に対して二本の指を入れて使用するようにした。このような形態を採った場合には、拭取面６を対象物に作用させて汚れの除去等を行う作業を、より繊細に行うことができる。
【００２６】
更にまた上述した基本となる実施例では、機能成分液Ｌとして殺菌、消臭機能を有するものを用いたが、機能成分液Ｌとしてはこの他にも、化粧水、香水、各種洗剤、ワックス、防水剤等の機能を有するものを用いることができる。
このうち特に防水剤等の機能成分液Ｌを用いた場合には、使用者によっては機能成分液Ｌが直接手に触れるのを嫌う傾向にがあるが、本発明のミトン型クリーナ１によれば、挿手部５内に機能成分液Ｌが入り込まないため、使用者に不快感を与えることがない。更にまたこのような防水剤等の機能成分液Ｌを用いる場合には、本発明のミトン型クリーナ１を図８（ｂ）に示すように、開口部３に対して手Ｈによって把持されるスティックＳを挿入した状態で使用することも可能である。このような使用形態を採った場合には、使用者の手Ｈに機能成分液Ｌが直接手に触れることがないため、不快感をより一層軽減することができる。
【図面の簡単な説明】
【００２７】
【図１】本発明のミトン型クリーナがパッケージに封入された状態を示す斜視図である。
【図２】本発明のミトン型クリーナの使用時の状態を示す斜視図である。
【図３】同上側面図である。
【図４】シート体製造工程を骨格的に示す側面図である。
【図５】封止剤塗布工程及び折り工程を骨格的に示す斜視図である。
【図６】ヒートシール工程、機能成分液含浸工程、切断工程及び包装工程を骨格的に示す側面図である。
【図７】開封手段を具えた実施例を示す斜視図である。
【図８】小型のミトン型クリーナ及びスティックを用いたミトン型クリーナの使用形態を示す斜視図である。
【図９】既存のミトン型クリーナを示す斜視図及び平面図である。
【符号の説明】
【００２８】
１      ミトン型クリーナ
２      シート体
２Ａ    吸水性シート
２Ｂ    非透気性フィルム
３      開口部
３ａ    端部
３ｂ    端部
４      側縁部
５      挿手部
６      拭取面
６Ａ    おもて面
６Ｂ    うら面
７      封止剤
８      開封手段
１０    ピンチローラ
１１    ヒートローラ
１２    ノズル
１３    折込体
１４    プレスローラ
１５    加熱ヘッド
１６    ノズル
Ｆ      ファスナ
Ｈ      手
Ｌ      機能成分液
Ｐ      パッケージ
Ｒ      原反ロール
Ｓ      スティック
Ｐ１    シート体製造工程
Ｐ２    封止剤塗布工程
Ｐ３    折り工程
Ｐ４    ヒートシール工程
Ｐ５    機能成分液含浸工程
Ｐ６    切断工程
Ｐ７    包装工程
【図１】
2005028015.tif 000003
【図２】
2005028015.tif 000004
【図３】
2005028015.tif 000005
【図４】
2005028015.tif 000006
【図５】
2005028015.tif 000007
【図６】
2005028015.tif 000008
【図７】
2005028015.tif 000009
【図８】
2005028015.tif 000010
【図９】
2005028015.tif 000011